【手続補正書】
【提出日】平成17年3月18日(2005.3.18)
【手続補正１】
【補正対象書類名】明細書
【補正対象項目名】全文
【補正方法】変更
【補正の内容】
【書類名】          明細書
【発明の名称】      照明器具
【特許請求の範囲】
【請求項１】  ほぼ中央に電源に接続する電源線挿通孔を有する器具本体と；
この器具本体に平行に配設される複数の直線状の片口金の放電ランプを取り付ける際にこれら放電ランプの片口金の位置が放電ランプの長手方向の一端および他端で交互に器具本体に取り付けられたランプソケットと；
一端および他端のランプソケットおよび電源線挿通孔の間に位置し、電源線挿通孔側に電源接続部をランプソケット側に配線部を有する複数の放電灯点灯装置と；
を具備したことを特徴とする照明器具。
【請求項２】  器具本体は、
シャーシと；
ランプソケットを挿通する挿通孔が形成されシャーシの下面に着脱可能に取り付けられ放電ランプからの光を反射する反射体と；
を具備したことを特徴とする請求項１記載の照明器具。
【発明の詳細な説明】
【０００１】
【発明の属する技術分野】
本発明は、片口金の放電ランプが複数平行に配設される照明器具に関する。
【０００２】
【従来の技術】
従来、片口金の放電ランプが取り付けられる照明器具としては、たとえば特開２０００−１４９６４９号公報に記載の構成が知られている。
【０００３】
この特開２０００−１４９６４９号公報には、長手状の器具本体の下面に反射体が設けられ、この反射体の長手方向の一端側にランプソケットが取り付けられている。そして、このランプソケットに、バルブをＵ字状に折り曲げたりあるいは２本のバルブの先端を連結したりした直線状のいわゆる片口金の蛍光ランプが取り付けられている。また、配線距離を短くするなどのために、ランプソケットが取り付けられている側に蛍光ランプを点灯させる点灯装置が配設されている。
【０００４】
【発明が解決しようとする課題】
上述の特開２０００−１４９６４９号に記載のような片口金の蛍光ランプを装着する照明器具の場合、ランプソケットが取り付けられる側の重量が重くなり、反対に、ランプソケットが取り付けられない側の重量が軽くなるため、重心が照明器具の中央近傍に位置せず、ランプソケットが取り付けられた側によってしまう。
【０００５】
さらに、片口金の蛍光ランプが複数本取り付けられる照明器具について考えると、ランプソケットが一端側に複数個取り付けられ、このランプソケット側に複数の蛍光ランプを点灯する放電灯点灯装置が取り付けられるため、より重心がランプソケット側に寄ってしまう。
【０００６】
また、照明器具を昇降装置でワイヤなどで昇降する場合には、重心がランプソケットよりに位置するため、ランプソケット側が下がり、反対側が上がってしまい好ましくない状態になるおそれがある。
【０００７】
本発明は、上記問題点に鑑みなされたもので、片口金の放電ランプを複数装着しても重心を中央よりに位置できる照明器具を提供することを目的とする。
【０００８】
【課題を解決するための手段】
請求項１記載の照明器具は、ほぼ中央に電源に接続する電源線挿通孔を有する器具本体と；この器具本体に平行に配設される複数の直線状の片口金の放電ランプを取り付ける際にこれら放電ランプの片口金の位置が放電ランプの長手方向の一端および他端で交互に器具本体に取り付けられたランプソケットと；一端および他端のランプソケットおよび電源線挿通孔の間に位置し、電源線挿通孔側に電源接続部をランプソケット側に配線部を有する複数の放電灯点灯装置とを具備したもので、片口金の放電ランプを取り付けるランプソケットを放電ランプの長手方向の一端および他端で交互で器具本体に取り付けたので、重心を中央近傍にできるとともに、また、放電ランプの長手方向の一端および他端で交互に取り付けられたランプソケットに対応して、放電灯点灯装置を電源線挿通孔およびランプソケット間に位置させることにより、重心をより中央側に位置させることができ、さらに、放電灯点灯装置は、電源線挿通孔側に電源接続部を位置させ、ランプソケット側に配線部を位置させることにより、配線が容易になる。
【０００９】
請求項２記載の照明器具は、請求項１記載の照明器具において、器具本体は、シャーシと；ランプソケットを挿通する挿通孔が形成されシャーシの下面に着脱可能に取り付けられ放電ランプからの光を反射する反射体とを具備したもので、ランプソケットを反射体の挿通孔に挿通させており、ランプソケットは放電ランプの長手方向の一端および他端で交互に取り付けられているため、反射体が外れにくい。
【００１０】
【発明の実施の形態】
以下、本発明の照明器具の一実施の形態を図面を参照して説明する。
【００１１】
図１は照明器具を示す斜視図、図２は照明器具を示す底面図、図３は照明器具を示す側面図、図４はランプソケット台を示す平面図、図５はランプソケット台を示す側面図、図６は反射体を示す平面図、図７は反射体を示す側面図、図８は昇降装置に取り付けられた状態の照明器具を示す側面図、図９は昇降装置を示す斜視図である。
【００１２】
図１に示すように、１は照明器具で、この照明器具１は器具本体２を有し、器具本体２は下面が開口し上部に長手方向に沿って面取りされた直方体状のシャーシ３と、このシャーシ３の下面の開口を閉塞する反射体４を有している。
【００１３】
また、シャーシ３の開口の長手方向の両端には、図４および図５に示すように、ランプソケット台５，５が溶接により取り付けられている。
【００１４】
このランプソケット台５は板状で、中央の長手方向に沿って形成された平板状の底面部６を有し、この底面部６の長手方向に沿って両側に１５０°の角度で折り曲げられた傾斜面部７，７が形成され、周囲にはシャーシ３に溶接する溶接代部８が折り曲げ形成されている。そして、ランプソケット台５の底面部６および傾斜面部７の一端には、ランプソケット11を位置決めする長手方向に交差する方向に形成されたランプソケット位置決め孔12がそれぞれ形成されている。また、これらランプソケット位置決め孔12の他端よりの部分には、ランプソケット11を図示しないねじなどにて取り付けるためのねじ挿通孔13，13がそれぞれ２つずつ取り付けられている。さらに、傾斜面部７のランプソケット11が取り付けられる側と反対側には、反射体４を図示しないねじで取り付けるねじ孔14が形成されている。なお、取り付ける放電ランプとしての蛍光ランプ15の数に対応した数でランプソケット台５にそれぞれランプソケット位置決め孔12およびねじ挿通孔13を形成することにより、ランプソケット11の装着位置にかかわらず、シャーシ３の両端でランプソケット台５を共通化でき、部品の汎用化が図れる。
【００１５】
なお、ランプソケット11は、蛍光ランプ15の着脱を容易にするように、蛍光ランプ15が取り付けられた際の蛍光ランプ15の基端を中心として先端側が弧を描くように回動可能に形成されている。
【００１６】
さらに、反射体４は内面が反射面の板状で、中央に長手方向に沿ってランプソケット台５の底面部６に対応して取り付けられる中央部21が形成され、中央部21の両側には傾斜面部７に対応して取り付けられる取付部22が上方に向けて折り曲げ形成され、これら取付部22の側面からは内方に向けて順次折り曲げ形成された集光面部23，24，25が形成され、集光面部25の両側には外方に向けて折り曲げられたフランジ部26が形成されている。また、反射体４の中央部21の一方にはランプソケット11を挿通するランプソケット挿通孔31が形成され、取付部22の他方にはランプソケット11を挿通するランプソケット挿通孔32，32が形成されている。さらに、反射体４の中央部21のランプソケット挿通孔31とは反対側の他方にはランプソケット11の先端側を支持するランプホルダ33を取り付ける取付孔34が形成され、取付部22のランプソケット挿通孔32とは反対側の一方には同様にランプホルダ33を取り付ける取付孔35，35が形成されている。また、取付部22には、ランプソケット台５のねじ孔14に対応する位置に位置誤差を吸収する長孔状のねじ孔36が形成されている。
【００１７】
そして、シャーシ３の一方に取り付けられるランプソケット台５には中央部21にランプソケット11を取り付け、他方に取り付けられるランプソケット台５には取付部22にランプソケット11を取り付け、器具本体２の長手方向で互い違いになるように交互にランプソケット11を配設し、反射体４を取り付ける。
【００１８】
また、蛍光ランプ15は、直線状の長手方向の一方にのみ電気的および機械的にランプソケット11に接続する口金を有する片口金形で、２本のバルブの先端側を連通させて連結したもの、あるいは、先端をＵ字状に折り返したＵ字管などで直線状に形成されている。そして、蛍光ランプ15は、基端側の口金がランプソケット11に取り付けられ、先端側がランプホルダ33により保持されている。
【００１９】
さらに、シャーシ３のほぼ中央には電源線挿通孔41が形成され、この電源線挿通孔41とランプソケット挿通孔31に挿通される１つのランプソケット11との間には、器具本体２の長手方向に沿って長手方向を有する長手状のたとえばインバータなどの１灯用の放電灯点灯装置42が収納されて取り付けられ、放電灯点灯装置42の電源線挿通孔41側には電源接続部43が位置し、反対にランプソケット11側には配線部44が位置している。また、電源線挿通孔41とランプソケット挿通孔32，32に挿通される２つのランプソケット11との間には、同様に器具本体２の長手方向に沿って長手方向を有する長手状の２灯用の放電灯点灯装置45が収納されて取り付けられ、放電灯点灯装置45の電源線挿通孔41側には電源接続部46が位置し、反対にランプソケット11側には配線部47が位置している。そして、それぞれの放電灯点灯装置42，45の電源接続部43，46には、電源線挿通孔41からの電源線48が接続され、それぞれの放電灯点灯装置42，45の配線部44，47には、ランプソケット11への配線49が接続される。
【００２０】
さらに、照明器具１は、図８に示すように、昇降装置51に取り付けられて用いられる。
【００２１】
また、昇降装置51は、図９に示すように、箱状の昇降装置本体52を有し、この昇降装置本体52の下面には開口53が形成され、この開口53には昇降部54が昇降により進入、排出され、この昇降部54は昇降装置本体52内に設けられた図示しないモータにより２本のワイヤ55を巻上げ、巻戻しすることにより、昇降部54を昇降する。また、昇降部54は、昇降装置本体52内の接点56に接触した状態で電気的に導通し、照明器具１に電力を供給する。
【００２２】
上記実施の形態によれば、ランプソケット11は器具本体２の長手方向の両側にそれぞれ放電ランプ15の１本ずつに対して交互に位置するため、重量バランスが片一方にランプソケット11が位置している場合に比べて取り易く、重心が器具本体２の中心に近づく。したがって、昇降装置51で照明器具１を昇降する際にも、照明器具１の傾きが小さく好ましい。
【００２３】
また、ランプソケット11が位置する側に放電灯点灯装置42，45を配設しているため、放電灯点灯装置42，45が分散することにより、シャーシ３内の空間を有効利用でき、熱的にも放熱しやすく、温度対策も容易になる。
【００２４】
さらに、放電灯点灯装置42，45の電源接続部43，46を電源線挿通孔41側に位置させることにより電源線48を短くできるとともに、配線部44，47をランプソケット11側に位置させることにより配線49を短くでき、それぞれ配線を容易にでき、特に、配線49が短くなることにより高周波ノイズなどが低減し、高周波対策も容易になる。
【００２５】
また、ランプソケット11を器具本体２の両端に設けられたランプソケット台５にそれぞれ交互に設けられており、ランプソケット11を反射体４の両端に設けられたランプソケット挿通孔31，32に挿通して取り付け、反射体４にランプホルダ33を取り付け、ランプソケット11に蛍光ランプ15の基端を取り付け、ランプホルダ33に蛍光ランプ15の先端側を保持させる。したがって、反射体４が図示しないねじなどによりランプソケット台５に確実に取り付けられてなく反射体４が外れてしまっても、反射体４の長手方向の両側にランプソケット11がランプソケット挿通孔31，32に挿通して取り付けられているため、反射体４が外れることによりランプホルダ33も下方に移動しにくく、蛍光ランプ15の先端がほとんど移動せずランプソケット11が回動しないため、反射体４とともに蛍光ランプ15が外れてしまうことを防止する。
【００２６】
なお、ランプソケット11は、蛍光ランプ15の１本毎に交互ではなく２本毎に交互に配設されていても同様の効果を得ることができる。
【００２７】
【発明の効果】
請求項１記載の照明器具によれば、片口金の放電ランプを取り付けるランプソケットを放電ランプの長手方向の一端および他端で交互で器具本体に取り付けたので、重心を中央近傍にできるとともに、また、放電ランプの長手方向の一端および他端で交互に取り付けられたランプソケットに対応し、放電灯点灯装置を電源線挿通孔およびランプソケット間に位置させることにより、重心をより中央側に位置させることができ、さらに、放電灯点灯装置は、電源線挿通孔側に電源接続部を位置させ、ランプソケット側に配線部を位置させることにより、配線を容易にできる。
【００２８】
請求項２記載の照明器具によれば、請求項１記載の照明器具に加え、ランプソケットを反射体の挿通孔に挿通させており、ランプソケットは放電ランプの長手方向の一端および他端で交互に取り付けられているため、反射体が外れにくくできる。
【図面の簡単な説明】
【図１】
本発明の照明器具の一実施の形態を示す斜視図である。
【図２】
同上照明器具を示す底面図である。
【図３】
同上照明器具を示す側面図である。
【図４】
同上ランプソケット台を示す平面図である。
【図５】
同上ランプソケット台を示す側面図である。
【図６】
同上反射体を示す平面図である。
【図７】
同上反射体を示す側面図である。
【図８】
同上昇降装置に取り付けられた状態の照明器具を示す側面図である。
【図９】
同上昇降装置を示す斜視図である。
【符号の説明】
１    照明器具
２    器具本体
３    シャーシ
４    反射体
11    ランプソケット
15    放電ランプとしての蛍光ランプ
41    電源線挿通孔
42，45    放電灯点灯装置
43，46    電源接続部
44，47    配線部